(57)【要約】【課題】  ソフトウェア処理の負担を軽減し、かつ誤入力を防止することができる設定項目入力方法を提供する。【解決手段】  設定メニュー画面１００において、キー（key）設定項目１１６は、ＷＥＰ暗号化タイプ設定項目１１３にてデータの暗号化の機能を使う場合に、キーの入力に用いられる。入力されたキーは、アスタリスク表示１１７となる。接続するコンピュータ又はアクセスポイントと同じキーが入力される。使用できる文字種や文字数には制限がかけられる。入力文字数は、データの暗号化の設定によって異なる。【選択図】  図６
2005250913.tif 000002
【特許請求の範囲】
【請求項１】
電子機器の使用に関する複数の設定項目を表示部に表示しながらユーザによる少なくとも上下移動操作子と決定操作子を用いた入力操作に基づいて上記複数の設定項目を入力するための設定項目入力方法において、
上記複数の設定項目の中で数字や文字を用いて設定する項目がある場合には、文字種や文字数に制限を設けた候補を上記表示部に複数表示する候補表示工程と、
上記候補表示工程によって表示された複数の候補からユーザが上記入力操作を用いて選択決定した数字や文字による文字列を記憶手段に記憶する設定文字列記憶工程と
を備えることを特徴とする設定項目入力方法。
【請求項２】
上記設定文字列記憶工程は、上記電子機器の使用環境に基づいてユーザが上記入力操作により選択決定した相互に異なる複数の文字列を記憶手段に記憶することを特徴とする請求項１記載の設定項目入力方法。
【請求項３】
上記上下移動操作子の他、さらに左右移動操作子を、電子機器本体又は遠隔操作装置にて用いることを特徴とする請求項１記載の設定項目入力方法。
【請求項４】
ユーザによる少なくとも上下移動操作子と決定操作子を用いた入力操作に基づいて使用に関する複数の設定項目を表示部に表示しながら入力する電子機器において、
上記複数の設定項目の中で数字や文字を用いて設定する項目がある場合には、文字種や文字数に制限を設けた候補を上記表示部に複数表示する候補表示手段と、
上記候補表示手段によって表示された複数の候補からユーザが上記入力操作を用いて選択決定した数字や文字による文字列を記憶する設定文字列記憶手段と
を備えることを特徴とする電子機器。
【請求項５】
上記設定文字列記憶手段は、使用環境に基づいてユーザが上記入力操作により選択決定した相互に異なる複数の文字列を記憶することを特徴とする請求項４記載の電子機器。
【請求項６】
上記上下移動操作子の他、さらに左右移動操作子を、電子機器本体又は遠隔操作装置にて用いることを特徴とする請求項４記載の電子機器。
【発明の詳細な説明】
【技術分野】
【０００１】
本発明は、電子機器の使用に関する複数の設定項目を表示部に表示しながら入力する設定項目入力方法、及び上記設定項目入力方法によって使用に関する複数の設定項目が入力される電子機器に関する。
【背景技術】
【０００２】
一般に、画像を表示する装置（以下、画像表示装置という）としては、所定の投影面に画像を表示する投影型画像表示装置や、陰極線を利用して画像を表示する陰極線管（Cathode Ray Tube：CRT）などが知られている。このような画像表示装置は、一般に、パーソナルコンピュータなどの情報端末装置から有線通信又は無線通信によって送信された画像情報を受信し、受信した画像情報に応じた画像を表示できるようになっている。
【０００３】
本件出願人による特開２００２−１２３２３８には、画像表示装置、情報端末装置と有線通信又は無線通信によって成るネットワークから形成される画像表示システムの構成が記載されている。また、この特開２００２−１２３２３８には、画像表示装置が発生した識別記号をスクリーンに投影表示し、情報端末装置の使用者がスクリーンから識別記号を知り、情報端末装置に画像表示装置の識別番号を入力設定する旨が記載されている。使用者が上記識別番号を情報端末装置から入力操作部を用いて入力設定することにより、この識別番号を有する画像表示装置にネットワーク経由で伝送情報が送られる。
【０００４】
ところで、ネットワークの接続に関しては、画像表示装置側での設定も必要となる。情報処理装置が例えばキーボードなどの入力操作部を用いて上記識別番号を入力するのに対して、画像表示装置側のネットワーク接続のための設定、特にマニュアルによる設定は、従来、図１２に示すように行われていた。つまり、画像表示装置８０によってスクリーン８１上に設定画面８２を表示し、同じくスクリーン８１上にソフトウェア的に表示したキーボード（ソフトウェアキーボード）８３の各キーをリモートコントローラ８４の操作部８４ａを操作することによって、文字列を入力していた。例えば、設定画面８２に表示されたワイヤレスモードセッティングという項目に「アク」の後に「セ」と入力するには、リモートコントローラ８４を用いてソフトウェアキーボード８３の該当のキーを選択し、再度リモートコントローラ８４を操作していちいちエンターを押していた。
【０００５】
【特許文献１】特開２００２−１２３２３８
【発明の開示】
【発明が解決しようとする課題】
【０００６】
しかし、上記図１２に示した設定項目の入力では、スクリーン８１上に設定画面８２と共にソフトウェアキーボード８３を表示するので、ＣＰＵによるソフトウェアの処理の負担が大きくなっていた。
【０００７】
また、ユーザは、リモートコントローラ８４を介してソフトウェアキーボード８３を操作することになるので、入力操作が煩雑になり誤入力を起こしてしまいやすかった。
【０００８】
また、スクリーン８１上には、設定画面８２と共にソフトウェアキーボード８３を表示することになるので、設定画面８２の表示領域にはサイズの限界があった。これにより文字の大きさも制約を受けてしまい、やはり誤入力の原因となってしまう。
【０００９】
本発明は、上記実情に鑑みてなされたものであり、ソフトウェア処理の負担を軽減し、かつ誤入力を防止することができる設定項目入力方法の提供を目的とする。
【００１０】
また、本発明は、使用に関する複数の設定項目を入力するときに、ソフトウェア処理の負担を軽減し、かつ誤入力を防止することができる電子機器の提供を目的とする。
【課題を解決するための手段】
【００１１】
本発明に係る設定項目入力方法は、上記課題を解決するために、電子機器の使用に関する複数の設定項目を表示部に表示しながらユーザによる少なくとも上下移動操作子と決定操作子を用いた入力操作に基づいて上記複数の設定項目を入力するための設定項目入力方法において、上記複数の設定項目の中で数字や文字を用いて設定する項目がある場合には、文字種や文字数に制限を設けた候補を上記表示部に複数表示する候補表示工程と、上記候補表示工程によって表示された複数の候補からユーザが上記入力操作を用いて選択決定した数字や文字による文字列を記憶手段に記憶する設定文字列記憶工程とを備える。
【００１２】
本発明の設定項目入力方法によれば、複数の設定項目の中で数字や文字を用いて設定する項目がある場合には、候補表示工程が文字種や文字数に制限を設けた候補を表示部に複数表示し、設定文字列記憶工程が候補表示工程によって表示された複数の候補からユーザが少なくとも上下移動操作子と決定操作子を用いた入力操作により選択決定した数字や文字による文字列を記憶手段に記憶する。
【００１３】
本発明に係る電子機器は、上記課題を解決するために、ユーザによる少なくとも上下移動操作子と決定操作子を用いた入力操作に基づいて使用に関する複数の設定項目を表示部に表示しながら入力する電子機器において、上記複数の設定項目の中で数字や文字を用いて設定する項目がある場合には、文字種や文字数に制限を設けた候補を上記表示部に複数表示する候補表示手段と、上記候補表示手段によって表示された複数の候補からユーザが上記入力操作を用いて選択決定した数字や文字による文字列を記憶する設定文字列記憶手段とを備える。
【００１４】
本発明の電子機器によれば、複数の設定項目の中で数字や文字を用いて設定する項目がある場合には、候補表示手段が文字種や文字数に制限を設けた候補を表示部に複数表示し、設定文字列記憶手段が候補表示手段によって表示された複数の候補からユーザが少なくとも上下移動操作子と決定操作子を用いた入力操作により選択決定した数字や文字による文字列を記憶する。
【発明の効果】
【００１５】
本発明の設定項目入力方法によれば、複数の設定項目の中で数字や文字を用いて設定する項目がある場合には、候補表示工程が文字種や文字数に制限を設けた候補を表示部に複数表示し、設定文字列記憶工程が候補表示工程によって表示された複数の候補からユーザが少なくとも上下移動操作子と決定操作子を用いた入力操作により選択決定した数字や文字による文字列を記憶手段に記憶するので、ソフトウェア処理の負担を軽減し、かつ誤入力を防止することができる。
【００１６】
また、リモートコントローラの操作部上の簡単な操作キー、例えば上下左右キーや決定キーにより、複雑な設定項目を、容易に入力することができる。
【００１７】
また、入力可能な文字種のみ候補として設定メニュー画面に、選択エリアを移動しながら表示するので、従来のように入力不可能な文字を入力してしまい再入力をしなければならないということがなくなる。
【００１８】
また、複数の設定の保存が可能となるので、予め電子機器を使用する季節別に設定を用意しておくとメモリの切り換えのみで条件に応じた使用が可能となる。
【００１９】
本発明の電子機器によれば、複数の設定項目の中で数字や文字を用いて設定する項目がある場合には、候補表示手段が文字種や文字数に制限を設けた候補を表示部に複数表示し、設定文字列記憶手段が候補表示手段によって表示された複数の候補からユーザが少なくとも上下移動操作子と決定操作子を用いた入力操作により選択決定した数字や文字による文字列を記憶するので、使用に関する複数の設定項目を入力するときに、ソフトウェア処理の負担を軽減し、かつ誤入力を防止することができる。
【００２０】
また、リモートコントローラの操作部上の簡単な操作キー、例えば上下左右キーや決定キーにより、複雑な設定項目を、容易に入力することができる。
【００２１】
また、入力可能な文字種のみ候補として設定メニュー画面に、選択エリアを移動しながら表示するので、従来のように入力不可能な文字を入力してしまい再入力をしなければならないということがなくなる。
【００２２】
また、複数の設定の保存が可能となるので、予め電子機器を使用する季節別に設定を用意しておくとメモリの切り換えのみで条件に応じた使用が可能となる。
【発明を実施するための最良の形態】
【００２３】
以下、本発明の実施の形態について図面を参照しながら説明する。この実施の形態は、本発明の設定項目入力方法によって、使用に関する複数の設定項目が入力される電子機器の具体例となる画像表示装置に関する。この画像表示装置は、プロジェクタであり、スクリーン上に画像を表示する。
【００２４】
図１は画像表示装置を用いて成る画像表示システムの基本構成を示す図である。図１において、画像表示システム１０は、画像表示装置１とアクセスポイント（ＡＰ）３との間を無線通信路に接続している。アクセスポイントＡＰ３と情報端末装置２は、例えばＬＡＮケーブル４によって接続されている。
【００２５】
画像表示装置１とアクセスポイント３との間の無線通信路は、電波や赤外線など、有線ケーブル以外の伝送路を利用したものである。例えば、ダイレクト・シーケンス・スペクトル拡散(Direct Sequence Spread Spectrum：ＤＳＳＳ)無線通信向けのもの等のIEEE8O2.11規格に準拠する無線ＬＡＮ(ＷＬＡＮ)通信に採用されるのと同じ２．４ＧＨｚのＩＳＭ(Industrial,Scientificand Medical)帯域を使用する無線通信がある。ブルートゥース(Bluetooth)と称されている。また、赤外線データ通信の規格であるIrDA（Infrared Date Association）によるものがある。
【００２６】
情報端末装置２は、例えば表示部２１に表示した画像２５に対応する画像情報を暗号化し、アクセスポイント３を介して画像表示装置１に送信する。画像表示装置１は、情報端末装置２からアクセスポイント３を介して上記無線通信路を介して無線伝送された上記暗号化画像情報をワイヤーレスモジュールにより受信し、復号画像情報にしてからスクリーン５上の表示画面５０に拡大した画像５５として投射する。
【００２７】
なお、この画像表示システムは、情報端末装置２と画像表示装置１との間をアクセスポイントを介さず、無線ネットワーク接続することもできる。この場合には、情報端末装置２に、ＵＳＢタイプのワイヤレス接続用モジュール４４を装着する。この場合には、画像表示装置１のネットワーク接続の設定をシンプルモードによって行うことができる。シンプルモードは、ネットワークやワイヤレスの設定が不要な簡単接続モードと定義できる。本発明の設定項目入力方法は、シンプルモードには適用されず、シンプルモードがオフされ、ユーザによるマニュアルでの設定が必要になった場合に適用される。情報端末装置２と画像表示装置１とを無線ネットワーク接続する場合にも、シンプルモードをオフとして、マニュアルで設定項目を入力する場合もある。
【００２８】
図２は、上記シンプルモードを使わない場合、つまり本発明の設定項目入力方法が適用される場合のモードにおける画像表示装置１の概略動作を説明するための図である。先ず、ユーザが画像表示装置（プロジェクタ）１の所定のスロットに図１に示したワイヤレス接続用モジュール４０を装着する。この状態で、画像表示装置１の電源が入れられる。次に、ユーザがリモートコントローラ６９の操作部６９ａ内に設けられた所定のキー（ワイヤレス接続機能キー）を押す。すると、スクリーン５には、設定メニュー画面１００が表示される。設定メニュー画面１００には、後述する図６に示すように、シンプルモードのオン／オフ選択部がある。ここで、シンプルモードオフをユーザがリモートコントローラに設けられ得た少なくとも上下移動操作子と決定操作子を用いた入力操作に基づいて選択すると本発明の設定項目入力方法が実行される。
【００２９】
この設定項目入力方法は、ユーザによるリモートコントローラに設けられ得た少なくとも上下移動操作子と決定操作子を用いた入力操作に基づいて設定メニュー画面１００に表示された複数の設定項目を入力するための設定項目入力方法であり、複数の設定項目の中で数字や文字を用いて設定する項目がある場合には、文字種や文字数に制限を設けた候補をスクリーン５に複数表示する候補表示工程と、候補表示工程によって表示された複数の候補からユーザが上記入力操作を用いて選択決定した数字や文字による文字列を記憶手段に記憶する設定文字列記憶工程とを備えてなる。
【００３０】
図３は、無線ネットワークへの接続設定を行う際に画像表示装置（ＰＪ）１と情報端末装置２とで、用いられるソフトウェアのシステム構成を示す図である。画像表示装置１は、後述するＲＯＭ内に予め出荷時にネットワーク接続のための接続アプリケーション４１と、ワイヤレスモジュールを動かすためのドライバ４２とネットワーク接続のための設定情報４３とを書き込んでいる。また、画像表示装置１は、ワイヤレス接続用のモジュール４０も付属品として備えている。
【００３１】
このワイヤレス接続用モジュール４０は、アンテナと送受信用チップを供えたＣＦカードタイプとされており、画像表示部１に設けられた専用のスロットに挿入されて使用される。さらに詳しくは、送信用データが後述するＣＰＵから通信コントロール部あるいはＩ／Ｆ部を経由してベースバンド処理部に送られ、ベースバンド処理部で信号処理され、ＲＦ処理部で伝送波にのせられ、無線通信アンテナから周辺のデバイスに無線送信される。また、逆に、周辺のデバイスから無線送信されてきた電波は、ローカル無線通信アンテナで受信され、ＲＦ部で信号抽出され、ベースバンド信号処理部で信号処理されてから、通信コントロール部あるいはＩ／Ｆ部経由で後述するＣＰＵに伝えられる。
【００３２】
接続アプリケーション４１は、ドライバ４２、設定情報４３を用いて、無線ネットワークへの接続を行ったり、画像転送を行う。
【００３３】
画像表示装置１は、情報端末装置２用にワイヤレス接続用モジュール４０と同様の機能ながらＵＳＢタイプのワイヤレス接続用モジュール４４を同梱している。また、画像表示装置１は、上記接続アプリケーション４１、ドライバ４２及び設定情報４３と同様の接続アプリケーション４６、ドライバ４７及び設定情報４８を格納しているＵＳＢメモリ４５も同梱している。
【００３４】
ユーザは、上記シンプルモードを使って画像表示装置１と情報端末装置２とを無線ネットワークに接続するときには、ＵＳＢメモリ４５を情報端末装置２のＵＳＢジャックに差し込んでから、セットアップファイルをマウスによりクリックする。すると、情報端末装置２では、自動的にインストーラが起動し、接続アプリケーション４６、ドライバ４７及び設定情報４８がＨＤＤ内に自動的に収納される。その後、ユーザがワイヤレス接続用モジュール４４を情報端末装置２のＵＳＢジャックに差し込むと、無線ネットワークへの接続設定が終了し、既に起動されている画像表示装置１との間でデータの送受信が無線ネットワークを介して行われることになる。
【００３５】
設定情報４３及び４８は、ワイヤレスネットワーク接続を行うための設定情報である。シンプルモードオン又はシンプルモードオフのいずれかを選択するかによって設定情報の入力内容が異なってくる。特に、本発明では、画像表示装置１における設定情報の入力が特徴的である。詳細については、後述する。
【００３６】
画像表示装置１にあって、設定情報４３は画像表示装置１の購入時に既にＲＯＭ内に接続アプリケーション４１、ドライバ４２と共に格納されている。情報端末装置２にあって、設定情報４８は接続アプリケーション４６、ドライバ４７と共にＵＳＢメモリ４５からＨＤＤ等にインストールされる。
【００３７】
これら設定情報４３及び設定情報４８のうちシンプルモードにて使用するワイヤレスネットワーク接続に必要な情報、つまり、ワイヤレス接続用モジュール４０及び４４の設定に関する情報は、画像表示装置１の固有の情報、例えばシリアル番号などから作成されている。例えば、ネットワーク名とデータの暗号化キーは、画像表示装置１の固有の情報から決定され、これらの情報は他の設定情報と共に、工場出荷時に、画像表示装置１内のＲＯＭ及びＵＳＢメモリ４５に書き込まれているということになる。
【００３８】
図４は画像表示装置１のハードウェア構成を示す図である。ＣＰＵ６１にはバス６２を介してリードオンリーメモリ（ＲＯＭ）６３、ランダムアクセスメモリ（ＲＡＭ）６４が接続している。また、ＣＰＵ６１にはバス６２を介してスクリーン５に映像信号を投射する映像信号出力部６５、ＷＬモジュール６７（図３のＷＬモジュール４０と同一）をインターフェースするＵＳＢＩ／Ｆ６６、さらにはリモートコントロール用受光部６８も接続している。リモートコントロール用受光部６８は、リモートコントローラ６９からのリモートコントロール信号を受信する。ＲＯＭ６３には、既に出荷時に接続アプリケーション４１、ドライバ４２及び設定情報４３が格納されている。
【００３９】
ＲＯＭ６３には、さらに、本発明の設定項目入力方法に基づいた設定項目入力プログラムが格納されている。設定項目入力プログラムにおいて、候補表示工程は数字や文字を用いて設定する項目がある場合に、文字種や文字数に制限を設けた候補をスクリーン５に複数表示し、設定文字列記憶工程は、候補表示工程によって表示された複数の候補からユーザが入力操作を用いて選択決定した数字や文字による文字列を記憶手段であるＲＡＭ６４に記憶する。
【００４０】
特に、画像表示装置１は、上記プログラムを実行するときには、ＣＰＵ６１の制御に基づいて映像信号出力部６５がスクリーン５に文字種や文字数に制限を設けた候補を表示する。つまり、ＣＰＵ６１と映像信号出力部６５とスクリーン５は、候補表示手段を構成する。
【００４１】
図５は情報端末装置２のハードウェア構成を示す図である。ＣＰＵ２０にはバス２３を介してハードディスクドライブ（ＨＤＤ）２４、ランダムアクセスメモリ（ＲＡＭ）２５が接続している。また、ＣＰＵ２０にはバス２３を介してＵＳＢメモリ２７（図３のＵＳＢメモリ４５と同一）をインターフェースするＵＳＢＩ／Ｆ２６、ＷＬモジュール２９（図３のＷＬモジュール４４と同一）をインターフェースするＵＳＢＩ／Ｆ２８が接続している。さらに、ＣＰＵ２０にはバス２３を介して液晶表示装置ＬＣＤ２１をコントロールするＬＣＤコントローラ３０、キーボードやマウスなどの入力操作部２２をインターフェースするＩ／Ｆ３１も接続されている。
【００４２】
以下には、シンプルモードを使わないで、画像表示装置１の設定項目を入力する動作を説明する。先ず、ユーザが画像表示装置（プロジェクタ）１の所定のスロットに図１に示したワイヤレス接続用モジュール４０を装着し、画像表示装置１の電源が入れられる。次に、ユーザがリモートコントローラ６９の操作部６９ａ内に設けられたワイヤレス接続機能キーを押し、スクリーン５に設定メニュー画面１００が表示される。
【００４３】
図６は、設定メニュー画面の一例を示す図である。この図６に示すように、画像表示装置１の無線接続の設定項目（内容）は複雑である。
【００４４】
設定メニュー画面１００には、先ず、ユーザ名入力部１０３が設けられる。ユーザ１からユーザ５まで、５個のメモリに対応した５つのユーザ名が設定できる。各ユーザ名毎に各種設定内容を保存できる。つまり、複数の設定が保存できるようになっている。リモートコントローラ６９の操作部６９ａの例えば左右上下カーソルキーとエンターキーを用いて選択アイコン１０４を操作することにより５つのユーザ名が選択可能である。従来は、ワイヤレスネットワーク設定等がある場合でも、画像表示装置１内部では設定は一つしかもてなかったため、設定変更を行う場合に、毎回入力する必要があった。本発明では、上述したように、複数の設定の保存が可能ため、予め画像表示装置（プロジェクタ）１を使用する場所別に設定を用意しておくとメモリー（ＲＡＭ６４）の切り換えのみでワイヤレスが使用可能となる。つまり、画像表示装置１の使用環境に基づいてユーザが上記入力操作を用いて選択決定した相互に異なる複数の文字列を記憶手段（ＲＡＭ６４）に記憶するので、予め画像表示装置（プロジェクタ）１を使用する場所別に設定を用意しておき、メモリー（ＲＡＭ６４）の切り換えのみで適切なワイヤレスネットワーク接続の設定項目入力が使用可能となる。
【００４５】
ワイヤレスモードセッティング項目１０５はネットワークモードのことであり、アクセスポイントに接続するモード（アクセスポイント接続モード）なのか、或いはある機器に対して１対１で接続するモード（アドホックモード）なのかを選択アイコン１０７の操作により選択出来るモードである。ここでは、アクセスポイント経由接続１０６が選択されている。
【００４６】
ESSID設定項目１０８は、ネットワーク名(SSID）を識別するための項目であり、ネットワークの名前である。画像表示装置１の固有の名前となる。ここでは、シリアルの番号「１２３４」１０９とされている。接続するコンピュータ又はアクセスポイントと同じ文字を入力する。半角英数字で最大３２文字まで入力可能である。
【００４７】
ワイヤレスチャンネル設定項目１１０は、ネットワークチャンネル、つまり使用する周波数帯域を入力するための項目である。ネットワークモードを「アドホック（ピアトゥピア）」に設定した場合、例えば「１」から「１１」までのチャンネルを、選択アイコン１１２により選択できる。「アクセスポイント経由接続（ワイヤレスアクセスポイント）」に設定した場合「自動」１１１に設定される。
【００４８】
ＷＥＰ暗号化タイプ設定項目１１３は、データの暗号化通信の方法を選択する項目である。データの暗号化（ＷＥＰ）は、本システムが無線ネットワークを構成しているので、データ傍受の危険性からデータを守るために必要である。「切」、「64(40)bitASCII」、「128(104)bitASCII」、「64(40)bitHEX」、「128(104)bitHEX」から選択される。このＷＥＰ暗号化タイプ設定項目１１３で、ユーザが選択アイコン１１５を用いて上記いずれかの暗号化方法を選択すると、キー（key）設定項目１１６の入力エリア１１７に入力可能な文字数と文字種が決定される。ユーザが選択アイコン１１５にて「128(104)bitHEX」１１４を選択したのであれば、キー（key）設定項目１１６の入力エリア１１７には128(104)bitHEXに応じた文字数と文字種の入力が可能となる。
【００４９】
キー（key）設定項目１１６は、ＷＥＰ暗号化タイプ設定項目１１３にてデータの暗号化の機能を使う場合に、キーの入力に用いられる。入力されたキーは、アスタリスク表示１１７となる。接続するコンピュータ又はアクセスポイントと同じキーが入力される。使用できる文字種や文字数には制限がかけられる。入力文字数は、データの暗号化の設定によって異なる。ＷＥＰ暗号化タイプ設定項目１１３にて「64(40)bitASCII」が選択されれば、入力可能文字数は半角英数字及び半角記号（「0〜9」、「A〜Z」、「a〜z」）で５文字となる。「128(104)bitASCII」が選択されれば、入力可能文字数は半角英数字及び半角記号（「0〜9」、「A〜Z」、「a〜z」）で１３文字となる。「64(40)bitHEX」が選択されれば、入力可能文字数は「0〜9」、「a〜f」の組み合わせで１０文字となる。128(104)bitHEXが選択されれば、入力可能文字数は「0〜9」、「a〜f」の組み合わせで２６文字となる。このようにキー（key）設定項目１１６では、使用できる文字種や文字数に制限を設けたので、必要のない文字を表示しないようにすることができる。従来は、入力制限があっても、入力自体は行えるようになっていた。本発明では、入力可能な文字種のみを候補として表示するので、入力不可能な文字を入力した場合の再入力の必要がなくなる。
【００５０】
このキー（key）設定項目１１６における、ＷＥＰキーの入力では、リモートコントローラ６９の操作部６９ａの上／下キーを押すことで入力する文字の選択を行い、操作部６９ａの左／右キーをおすことで位置変更及び文字決定を行い、操作部６９ａの決定キーを押すことで全体の決定を行う。ＷＥＰキーの入力の具体例については図７〜図９を用いて後述する。
【００５１】
以上のワイヤレスモードセッティング、ネットワーク名、ワイヤレスチャンネル、データの暗号化方法は、ワイヤレス接続用モジュール４０の設定に関する情報である。
【００５２】
ＩＰアドレスセッティング項目１１８は、画像表示装置（プロジェクタ）１のインターネットプロトコル（Internet Protocol:ＩＰ）アドレス設定の「自動（DHCP）」、「手動」をユーザに選択させる項目である。ここでは、選択アイコン１２０によりオートＩＰ（Auto IP(DHCP)）１１９が選択されている。画像表示装置１は、無線ネットワークにおけるDHCPサーボではないが、元々オートＩＰという設定項目自体がないので、DHCPに設定しておくことで、DHCPサーボを探させ、無いことが判明すればオートＩＰが働くという流れになっている。「手動」が選択されたときには、この画面のＩＰアドレス設定部１２１、サブネットマスク設定部１２３、デフォルトゲートウェイ設定部１２５を設定する必要がある。
【００５３】
ＩＰアドレス設定部１２１は、画像表示装置１のＩＰアドレスの設定を0〜255の数字から選択して入力エリア１２２に入れる。サブネットマスク設定部１２３は、画像表示装置１のサブネットマスクの設定を0〜255の数字から選択して入力エリア１２４に入れる。デフォルトゲートウェイ設定部１２５は、画像表示装置１のデフォルトゲートウェイの設定を0〜255の数字から選択して入力エリア１２６に入れる。
【００５４】
ＭＡＣ（Media Access Control）アドレス設定部１２７は、セットしたワイヤレスモジュールのＭＡＣアドレスを表示部１２８に表示する。
【００５５】
以上に説明した各項目の設定内容を保存するとき、ユーザは「ＯＫ」ボタン１２９を選択して、エンターキーを押せばよい。すると、設定内容が保存される。また、設定を保存せず、設定メニューを消去するとき、ユーザは「キャンセル」ボタン１３０を選択して、エンターキーを押せばよい。
【００５６】
次に、キー（key）設定項目１１６における、ＷＥＰキーの入力の具体例について図７〜図９を用いて説明する。キー（key）設定項目１１６は、上述したように、使用できる文字種や文字数に制限を設けて、必要のない文字を表示しないようにしている。このキー（key）設定項目１１６を入力する際には、リモートコントローラ６９の操作部６９ａの上／下キーにより、例えば反転エリア１３１を項目位置にもってくる。そして、選択操作エリア２０１の上／下スクロールキーを、リモートコントローラ６９の操作部６９ａの上／下キーを介して操作し、候補表示部２００内で候補の文字を上／下にスクロールし、所望の文字を反転エリア１３１に合わせることで入力する文字の選択を行い、操作部６９ａの左／右キーをおすことで文字決定を行う。これにより、図７に示すように、キーの始めの一文字目が「0」と設定されたとする。次に、選択操作エリア２０１内の右移動キーをリモートコントローラ６９の操作部６９ａの右移動キーを介して操作することで、候補表示部２００を二文字目に移動する。二文字目に移動した候補表示部２００内で、同様に選択操作エリア２０１の上／下スクロールキーを、リモートコントローラ６９の操作部６９ａの上／下キーを介して操作し、候補表示部２００内で候補の文字を上／下にスクロールし、所望の文字を反転エリア１３１に合わせることで入力する文字の選択を行い、操作部６９ａの左／右キーを押すことで文字決定を行う。図８に示すように、候補表示部２００が二文字目に移動したときには、一文字目の「0」はアスタリスクになる。同じように、選択操作エリア２０１内の右移動キーをリモートコントローラ６９の操作部６９ａの右移動キーを介して操作することで、三文字目に移動した候補表示部２００内で、選択操作エリア２０１の上／下スクロールキーを、リモートコントローラ６９の操作部６９ａの上／下キーを介して操作することで入力する文字の選択を行い、操作部６９ａの左／右キーを押すことで文字決定を行う。図９に示すように、候補表示部２００が三文字目に移動したときには、二文字目の「A」はアスタリスクになる。これを五文字目まで繰り返す。そして、最後に操作部６９ａの決定キーが押されることでキー全体の決定が行われる。もちろん、一文字目からの「0」、「A」、「5」をそのまま表示しおき、最後に操作部６９ａの決定キーが押されてキー全体が決定されたときにキーをアスタリスク表示にしてもよい。
【００５７】
このように、画像表示システムにあって、画像表示装置１は、本発明の設定項目入力方法を実行することにより、従来、スクリーンキーボードを使用して入力していた複数の設定項目を、スクリーンキーボードを使用することなく、リモートコントローラの少ない操作キーでも入力することができるようになった。また、例えば、キー（key）設定項目１１６では、入力可能な文字種のみ候補として設定メニュー画面１００に、選択エリア２００を移動しながら表示するので、従来のように入力不可能な文字を入力してしまい再入力をしなければならないということがなくなる。また、複数の設定の保存が可能となるので、予め画像表示装置１を使用する場所別に設定を用意しておくとメモリの切り換えのみでワイヤレスの使用が可能となる。
【００５８】
なお、図１０には、画像表示装置を用いて成る他の画像表示システム１０の具体例を示す。この他の画像表示システム１０は、画像表示システム１と情報端末装置２Ａ，２Ｂ，２Ｃとを、上記IEEE802.11bに準拠したアクセスポイント３を介して無線ネットワーク接続するシステムである。情報端末装置２Ａ，２Ｂ，２Ｃは、いずれも、図５を参照して説明した情報端末装置２と同様の構成を有するものであり、ＬＡＮ４にて接続されている。
【００５９】
図１１は、上記シンプルモードを使わない場合、つまり本発明の設定項目入力方法が適用される場合のモードにおける画像表示装置１の概略動作を説明するための図である。先ず、ユーザが画像表示装置（プロジェクタ）１の所定のスロットに図１０に示したワイヤレス接続用モジュール４０を装着する。この状態で、画像表示装置１の電源が入れられる。次に、ユーザがリモートコントローラ６９の操作部６９ａ内に設けられた所定のキー（ワイヤレス接続機能キー）を押す。すると、スクリーン５には、設定メニュー画面１００が表示される。設定メニュー画面１００には、上述した図６に示すような、シンプルモードのオン／オフ選択部がある。この場合の画像表示装置１の設定項目の入力方法については、図６を用いて説明した内容と同様であるので説明を省略する。
【００６０】
なお、この画像表示システム１０にあっても、複数の情報端末装置２Ａ，２Ｂ，２Ｃと画像表示装置１との間をアクセスポイントを介さず、無線ネットワーク接続することもできる。この場合には、情報端末装置２Ａ，２Ｂ，２Ｃに、ＵＳＢタイプのワイヤレス接続用モジュール４４Ａ，４４Ｂ，４４Ｃを装着する。この場合には、画像表示装置１のネットワーク接続の設定をシンプルモードによって行うことができる。シンプルモードは、ネットワークやワイヤレスの設定が不要な簡単接続モードと定義できる。本発明の設定項目入力方法は、シンプルモードには適用されず、シンプルモードがオフされ、ユーザによるマニュアルでの設定が必要になった場合に適用される。複数の情報端末装置２Ａ，２Ｂ，２Ｃと画像表示装置１とを無線ネットワーク接続する場合にも、シンプルモードをオフとして、マニュアルで設定項目を入力する場合もある。
【００６１】
また、本発明の設定項目入力方法は、上記画像表示装置にのみ適用が限定されるのではなく、例えば電子機器本体にハードウェアとしてのキーボードがなく、かつ表示部に使用するための設定項目（内容）を複数表示するような複雑な機能を搭載した電子機器全般に適用できる。具体的には、例えば液晶表示部を扉に備えた冷蔵庫や、冷暖房用空調機、オーディオ記録再生装置等を挙げることができる。使用するための設定項目は、例えば、上記冷蔵庫であれば、内部に収納している食品名や、購入日、消費期限、使用用途の制限などの設定である。また、空調機であれば、１時間毎の気温の設定などである。
【００６２】
いずれも、本発明の設定項目入力方法を実行することで、リモートコントローラの操作部上の簡単な操作キー、例えば上下左右キーや決定キーにより、複雑な設定項目を、容易に入力することができる。また、入力可能な文字種のみ候補として設定メニュー画面に、選択エリアを移動しながら表示するので、従来のように入力不可能な文字を入力してしまい再入力をしなければならないということがなくなる。また、複数の設定の保存が可能となるので、予め電子機器を使用する季節別に設定を用意しておくとメモリの切り換えのみで条件に応じた使用が可能となる。
【図面の簡単な説明】
【００６３】
【図１】画像表示システムの基本構成図である。
【図２】本発明の設定項目入力方法が適用される場合のモード（シンプルモードオフ）における画像表示装置の概略動作を説明するための図である。
【図３】画像表示装置（ＰＪ）と情報端末装置（ＰＣ）とで、用いられるソフトウェアのシステム構成図である。
【図４】画像表示装置のハードウェア構成を示すブロック図である。
【図５】情報端末装置のハードウェア構成を示すブロック図である。
【図６】設定メニュー画面の一例を示す図である。
【図７】キー（key）設定項目における、ＷＥＰキーの一文字目の入力の具体例を説明するため図である。
【図８】キー（key）設定項目における、ＷＥＰキーの二文字目の入力の具体例を説明するため図である。
【図９】キー（key）設定項目における、ＷＥＰキーの三文字目の入力の具体例を説明するため図である。
【図１０】画像表示装置を用いて成る他の画像表示システム１０の具体例を示す図である。
【図１１】上記図１０に示した画像表示システムにおける画像表示装置の概略動作を説明するための図である。
【図１２】画像表示装置のネットワーク接続のための従来の設定方法を説明するための図である。
【符号の説明】
【００６４】
１  画像表示装置、２  情報端末装置、５  スクリーン、４０  ワイヤレスモジュール、１００  設定メニュー画面
【図１】
2005250913.tif 000003
【図２】
2005250913.tif 000004
【図３】
2005250913.tif 000005
【図４】
2005250913.tif 000006
【図５】
2005250913.tif 000007
【図６】
2005250913.tif 000008
【図７】
2005250913.tif 000009
【図８】
2005250913.tif 000010
【図９】
2005250913.tif 000011
【図１０】
2005250913.tif 000012
【図１１】
2005250913.tif 000013
【図１２】
2005250913.tif 000014